(57)【特許請求の範囲】
【請求項１】
エレベーターの主ロープを旧ロープから新ロープに交換する保守作業において、前記旧ロープの一方端が切断されて前記新ロープの一方端に接続された状態、且つ、前記旧ロープの他方端が切断されて所定の案内綱の他方端に接続された状態で、前記案内綱の一方端を持ってたぐり寄せる作業によって、前記新ロープが送り込まれ前記旧ロープが所定のロープ回収容器に回収される作業を支援するためのロープ送り支援治具であって、
治具本体板部と、
前記旧ロープの他方端の先端部を前記治具本体板部に着脱自在に固定している固定具と、
前記案内綱の他方端を前記治具本体板部に着脱自在に取り付けている取付部と、
を備える、エレベーターロープ交換作業用のロープ送り支援治具。
【請求項２】
前記旧ロープは複数本で構成され、
前記固定具は、複数本の前記旧ロープを１本ずつ前記治具本体板部に固定している複数のロープクリップである、請求項１に記載のエレベーターロープ交換作業用のロープ送り支援治具。
【請求項３】
前記取付部は、前記治具本体板部に設けられている取付穴に環状形状が通されているカラビナである、請求項１に記載のエレベーターロープ交換作業用のロープ送り支援治具。
【発明の詳細な説明】
【技術分野】
【０００１】
本開示は、エレベーターロープ交換作業用のロープ送り支援治具に係り、特に、エレベーターの主ロープを旧ロープから新ロープに交換する保守作業において、旧ロープを回収するためのロープ送り支援治具に関する。
【背景技術】
【０００２】
エレベーターは、乗りかごに乗客を乗せ、乗客の要求に応じて昇降路内で乗りかごを昇降させる乗客運搬装置である。エレベーターは、乗りかごを昇降路内で昇降させるために乗りかごに主ロープを取り付けて滑車等で昇降路内に吊り下げ、巻上機等を用いて主ロープを昇降路内で移動させる。主ロープは滑車等を経由し、巻上機等で駆動されるので摩耗等が生じ、保守点検や機種切替等のときに交換される。【０００３】
エレベーターの主ロープは乗りかごを吊下げるものであるので太い径を有し、昇降路の長さの数倍の全長を有するので、その質量はかなり大きい。特許文献１には、エレベーターの主ロープの交換の際に、交換中の主ロープがその自重で昇降路内に落下しないように、その移動速度を制限するブレーキ装置が開示されている。
【先行技術文献】
【特許文献】
【０００４】
【特許文献１】特許第６２３１２４８号公報
【発明の概要】
【発明が解決しようとする課題】
【０００５】
エレベーターの主ロープを旧ロープから新ロープに交換するには、旧ロープを切断して新ロープを接続し、新ロープを送り出しながら旧ロープを引き出して回収する。回収作業において、旧ロープの切断された先端部に案内綱を縛りつけて接続し、案内綱を引っ張ることが行われる。旧ロープの先端部と案内綱との接続をテーピング等の手作業で行うと、作業者の個人差等によって接続の仕方にばらつきが生じ、旧ロープから案内綱が外れる可能性がある。また、回収済みの旧ロープから案内綱を分離して再利用する場合には、テーピング等をいちいち手作業で剥がすことになり、手間がかかる。また、主ロープが複数本で構成されている場合には、１本ずつ確実にテーピング等の接続作業を行う必要があるので、手間もかかり、個人差も発生しやすい。そこで、主ロープを旧ロープから新ロープに交換する場合のロープ送り作業において、旧ロープを案内綱に接続する際に、作業者の個人差をなくして容易且つ確実に着脱可能に接続できるエレベーターロープ交換作業用のロープ送り支援治具が要望される。
【課題を解決するための手段】
【０００６】
本開示に係るエレベーターロープ交換作業用のロープ送り支援治具は、エレベーターの主ロープを旧ロープから新ロープに交換する保守作業において、旧ロープの一方端が切断されて新ロープの一方端に接続された状態、且つ、旧ロープの他方端が切断されて所定の案内綱の他方端に接続された状態で、案内綱の一方端を持ってたぐり寄せる作業によって、新ロープが送り込まれ旧ロープが所定のロープ回収容器に回収される作業を支援するためのロープ送り支援治具であって、治具本体板部と、旧ロープの他方端の先端部を治具本体板部に着脱自在に固定している固定具と、案内綱の他方端を治具本体板部に着脱自在に取り付けている取付部と、を備える。
【０００７】
上記構成によれば、治具本体板部に固定具で旧ロープの先端部を固定し、治具本体板部に取り付けた取付部に案内綱を取り付けるので、旧ロープを案内綱に接続する際に、作業者の個人差をなくして容易且つ確実に接続できる。【０００８】
本開示に係るエレベーターロープ交換作業用のロープ送り支援治具において、旧ロープは複数本で構成され、固定具は、複数本の旧ロープを１本ずつ治具本体板部に固定している複数のロープクリップであることが好ましい。【０００９】
上記構成によれば、旧ロープは複数本で構成される場合でも１本ずつ治具本体板部にロープクリップで固定できるので、作業者の個人差をなくして容易且つ確実に接続できる。【００１０】
本開示に係るエレベーターロープ交換作業用のロープ送り支援治具において、取付部は、治具本体板部に設けられている取付穴に環状形状が通されているカラビナであることが好ましい。【００１１】
上記構成によれば、旧ロープの回収が済めば、旧ロープと案内綱を容易に分離でき、案内綱の再利用が可能である。
【発明の効果】
【００１２】
上記構成のエレベーターロープ交換作業用のロープ送り支援治具によれば、主ロープを旧ロープから新ロープに交換する場合のロープ送り作業において、旧ロープを案内綱に接続する際に、作業者の個人差をなくして容易且つ確実に着脱可能に接続できる。
【図面の簡単な説明】
【００１３】
【図１】本開示に係るエレベーターロープ交換作業用のロープ送り支援治具を用いてエレベーターロープの交換作業を行う前のエレベーターの構成図である。
【図２】図１の交換作業前の状態から、旧ロープを回収する状態に移る途中において、新ロープをかご上作業領域まで引っ張り上げる作業状態を示す図である。
【図３】図２の状態から旧ロープを回収する状態に移る途中において、旧ロープと新ロープを接続する作業状態を示す図である。
【図４】本開示に係るエレベーターロープ交換作業用のロープ送り支援治具を用いて、エレベーターロープを旧ロープから新ロープへの交換作業において、旧ロープに新ロープを接続した後、旧ロープを回収する状態を示す図である。
【図５】本開示に係るエレベーターロープ交換作業用のロープ送り支援治具の構成を示す図である。
【発明を実施するための形態】
【００１４】
以下に図面を用いて本開示に係る実施の形態につき、詳細に説明する。以下では、エレベーターとして、機械室レス方式のエレベーターを述べるが、これは、エレベーターロープである主ロープが長くその質量が大きく、ロープ送り出しに案内綱が用いられる一例である。機械室レス方式でなくても、エレベーターの主ロープを旧ロープから新ロープに交換する保守作業において旧ロープを回収する場合に、本開示が適用できる。以下では、新ロープの送り出しと旧ロープの引出し回収とを最下階乗場で行うものとしたが、これは説明のための例示であって、最下階乗場以外の最上階乗場等において新ロープの送り出しと旧ロープの引出し回収とを行ってもよい。以下では、エレベーターロープの交換として、主ロープが３本で構成され、旧ロープの３本をまとめて新ロープの３本に交換する例を述べるが、これは説明のための例示である。ロープの本数、まとめ方は、エレベーターの仕様、エレベーターの保守手順仕様等に応じ、適宜変更が可能である。
【００１５】
以下で述べる形状、寸法、材質、個数等は、説明のための一例であって、エレベーターの仕様、エレベーターロープ交換作業用のロープ送り支援治具の仕様等に応じ、適宜変更が可能である。また、以下では、全ての図面において同様の要素には同一の符号を付し、重複する説明を省略する。
【００１６】
図１から図４は、エレベーターロープ４０の交換作業の対象としての機械室レス方式のエレベーター１０の構成図である。図１は、交換作業前のエレベーター１０の状態を示す図であり、図４は、エレベーターロープ４０を旧ロープ４２から新ロープ４４への交換作業において、旧ロープ４２に新ロープ４４を接続した後、旧ロープ４２を回収する回収作業状態を示す図である。図２と図３は、図１の交換作業前の状態から図４の回収作業状態に移る途中の作業状態を示す図である。エレベーターロープ４０の交換作業は、図１の状態から図２の状態、図３の状態を経て、図４の状態に移る。
【００１７】
ここで、エレベーター１０において、乗りかご３０と釣合おもり３６とに懸架されるロープを、広義のエレベーターロープ４０と呼ぶ。エレベーター１０が通常運行の場合におけるエレベーターロープ４０は、主ロープ４１と呼ばれる。エレベーターロープ４０の交換作業は、主ロープ４１を旧ロープ４２と言い換えて、旧ロープ４２を新ロープ４４に交換する作業である。旧ロープ４２が新ロープ４４に完全に置き換わった状態のエレベーター１０では、新ロープ４４が新しい主ロープ４１となる。
【００１８】
図１に従って、交換作業前のエレベーター１０の構成を述べる。エレベーター１０は、建物１２を縦貫して設けられる昇降路１４内において、乗りかご３０に乗客を乗せ、乗客の要求に応じて昇降路１４内で乗りかご３０を昇降させる乗客運搬装置である。昇降路１４は、建物１２の上下方向に縦貫する空間で、建物１２の各階乗場に対応する乗降口を有する。図１では、各階乗場として、最下階乗場１６と、最上階乗場１８とを示す。昇降路１４の底面はピット２０であり、ピット２０へは、最下階乗場１６から降りる。乗りかご３０の上部には、保守作業用のかご上手摺３２が設けられる。かご上手摺３２で囲まれた乗りかご３０の上部の領域は、かご上作業領域３３である。
【００１９】
エレベーター１０は、乗りかご３０の他に、巻上機３４、釣合おもり３６、エレベーターロープ４０としての主ロープ４１を含む。巻上機３４は、ピット２０に配置される回転機械で、その出力軸に設けられる駆動シーブ３５に主ロープ４１が懸架され、図示しない制御装置の制御の下で主ロープ４１の移動駆動を行う昇降用モータである。釣合おもり３６は、巻上機３４の負荷を軽減するために、乗りかご３０の質量と釣り合う質量を有するおもりで、巻上機３４を挟んで乗りかご３０と反対側で主ロープ４１に接続される。
【００２０】
図１以下において、直交する３方向として上下方向、幅方向、奥行方向を示す。上下方向は、昇降路１４の上下方向で、上層階方向が上方側、下層階方向が下方側である。幅方向は、昇降路１４の幅方向で、例えば最上階乗場１８において、乗りかご３０に向かって右方向が右側であり、左方向が左側である。奥行方向は、昇降路１４の奥行方向で、例えば最上階乗場１８において、昇降路１４に向かう方向が昇降路側であり、反対に昇降路１４側から最上階乗場１８に向かう方向が乗場側である。
【００２１】
ピット２０に設けられるおもり側ダンパ２２及びかご側ダンパ２４は、釣合おもり３６０及び乗りかご３０のそれぞれについて、下方側の行き過ぎを受け止める緩衝装置である。
【００２２】
昇降路１４内の上下方向に渡って設けられるガイドレール２６，２８は、乗りかご３０の昇降路１４内の昇降を案内する案内部材である。
【００２３】
昇降路１４の最上方側である天井側において、釣合おもり３６側に設けられる綱止板５０は、一方端取付ソケット５１を介して主ロープ４１の一方端を固定する張出板である。乗りかご３０側に設けられる綱止板５２は、他方端取付ソケット５３を介して主ロープ４１の他方端４９を固定する張出板である。
【００２４】
昇降路１４の天井側に設けられる返し車５８，６０、及び、釣合おもり３６の上方側端部に設けられるおもり吊り車６２、乗りかご３０の床面側に設けられるかご吊り車６４，６６は、綱止板５０，５２の間に張り渡される主ロープ４１が懸架される滑車である。
【００２５】
主ロープ４１は、巻上機３４の昇降モータの駆動制御によって駆動されるエレベーター昇降用ロープで、その移動によって乗りかご３０及び釣合おもり３６が昇降路１４内を昇降する。主ロープ４１は、一方端取付ソケット５１への取付端を一方端４８とし、おもり吊り車６２、返し車５８、駆動シーブ３５、返し車６０、かご吊り車６４，６６に懸架されて、他方端取付ソケット５３への取付端を他方端４９として、張り渡される。
【００２６】
かかる主ロープ４１には、複数の鋼線を撚線とした鋼ロープが用いられる。主ロープ４１の全長は、駆動シーブ３５から返し車５８または返し車６０までの長さを乗りかご３０の昇降ストロークとして、昇降ストロークの約４倍の長さである。主ロープ４１の外径寸法と本数は、乗りかご３０の質量や、エレベーター１０の昇降ストローク、昇降速度等の仕様によって定められる。以下では、外径寸法が約１０ｍｍ、本数を３本とする。これは説明のための例示であって、これ以外の外径寸法、本数であっても構わない。
【００２７】
次に、図２から図４を用いて、エレベーター１０における主ロープ４１の交換作業の手順の一例を述べる。以下で述べる交換作業の手順は、説明のための例示であって、エレベーター１０のメンテナンスの仕様等に応じて適宜変更が可能である。図４は、旧ロープ回収作業の状態を示す図で、図２と図３は、図１の交換作業前の状態から、図４の旧ロープ回収作業の状態へ移行する途中の工程について、エレベーター１０の乗りかご３０が最上階に配置されている部分を抜き出して示す図である。図２は、新ロープ４４を最上階乗場１８付近まで引っ張り上げた状態を示し、図３は、新旧ロープの接続状態を示す図である。
【００２８】
以下では、図１で述べた主ロープ４１を交換対象として、これを旧ロープ４２と言い換え、図２から図４において太い破線で示す。旧ロープ４２と交換されるエレベーターロープ４０を新ロープ４４と呼び、図２から図４において太い実線で示す。図２から４において、保守作業員６，８は、旧ロープ４２を新ロープ４４に交換する交換作業を分担して行う要員である。保守作業員６は最下階乗場１６に、保守作業員８は乗りかご３０のかご上手摺３２で囲まれたかご上作業領域３３に配置される。必要に応じ保守作業員の数を３人以上としてもよい。
【００２９】
主ロープ４１の交換作業は、最下階乗場１６、ピット２０、及び、乗りかご３０のかご上作業領域３３で行われるので、主ロープ４１の交換作業に必要な治具、滑車等を、最下階乗場１６の交換作業領域と、かご上作業領域３３とに予め準備する。交換作業に必要な治具、滑車等の主なものは、ロープ送り出し治具７０、ロープ回収容器７２、新ロープ送り出しガイド車７４、チェーンブロック７６，７８、パイプサポート８０、おもり側追加滑車８２、かご側追加滑車８４等である。これ以外に、新ロープクリート８６、案内綱９０、旧ロープクリート１００、旧ロープ吊下クリップ１０４、案内シャックル１０８等、及び、エレベーターロープ交換作業用のロープ送り支援治具１１０がある。以下では、特に断らない限り、エレベーターロープ交換作業用のロープ送り支援治具１１０を、ロープ送り支援治具１１０と呼ぶ。図４には、これらが配置された状態が示される。
【００３０】
図１の交換作業前の状態から、図２に示す新ロープ４４を最上階乗場１８付近まで引張り上げた図２の状態にする手順（新ロープ引っ張り上げ工程）は、以下のように進められる。
【００３１】
まず、新ロープ４４が巻かれたロープ送り出し治具７０が交換作業領域である最下階乗場１６に置かれる。ロープ送り出し治具７０は、中心軸７１の回りに回転可能な円筒状のロープ巻きドラムである。ロープ送り出し治具７０の上部には、回収した旧ロープ４２を適当な長さに切断して収容するためのロープ回収容器７２が配置される。
【００３２】
次に、新ロープ送り出しガイド車７４をガイドレール２６に回転可能として取り付ける。新ロープ送り出しガイド車７４の上下方向の配置高さ位置は、ピット２０の床面を基準として、ロープ送り出し治具７０の配置高さ位置とほぼ同じに設定される。
【００３３】
そして、保守作業員６は、ロープ送り出し治具７０から新ロープ４４の３本をそれぞれ引き出す（図４参照）。そして、新ロープ４４の一方端４６について、新ロープ送り出しガイド車７４を通した後に、新ロープ４４の３本のそれぞれを区別して新ロープクリート８６で保持する。新ロープクリート８６は、新ロープ４４の一方端４６から測って、後述する新旧ロープの接続に必要な長さとなる位置で新ロープ４４の一方端４６側を保持する。例えば、新ロープ４４の一方端４６から約２ｍ程度離れた位置で、新ロープ４４の一方端４６側を新ロープクリート８６で保持する。
【００３４】
乗りかご３０のかご上作業領域３３には、予め案内綱９０が持ち込まれている。案内綱９０としては、保守作業員６，８が引っ張りやすいように、適当な強度と柔軟性を有する天然繊維または樹脂繊維を撚った綱を用いることがよい。案内綱９０は、最上階乗場１８の位置にある乗りかご３０のかご上作業領域３３からピット２０までの距離以上の長さを有する。そして、乗りかご３０を最下階乗場１６の位置まで降下させ、保守作業員８は、案内綱９０の他方端９２を持ったまま、案内綱９０の一方端９１をピット２０に下ろす。
【００３５】
ピット２０において、新ロープクリート８６には図示しない綱取付穴が設けられているので、保守作業員６は、かご上作業領域３３から垂らされた案内綱９０の一方端９１を、新ロープクリート８６の綱取付穴に取り付け、新ロープ４４と案内綱９０を一体化する。そして、かご上作業領域３３の保守作業員８は、案内綱９０の他方端９２側から案内綱９０を手繰り寄せて、新ロープクリート８６をかご上作業領域３３に上げ、かご上手摺３２に新ロープクリート８６を固定する。その状態で、乗りかご３０を最上階乗場１８の位置まで上昇させる。
【００３６】
図２は、乗りかご３０が最上階乗場１８の位置まで上昇し、新ロープ４４は、かご上手摺３２に固定された新ロープクリート８６と共に、ロープ送り出し治具７０から新ロープ送り出しガイド車７４を経由して、最上階乗場１８付近まで引張り上げられた状態を示す。
【００３７】
新ロープ引っ張り上げ工程が終わった図２の状態から、図３に示す新旧ロープの接続状態とする手順（新旧ロープ接続工程）は、以下のように進められる。
【００３８】
まず、おもり側ダンパ２２の上方側に所定の長さのパイプサポート８０を配置して、釣合おもり３６が下降してきた場合の最下位置をかさ上げする（図４参照）。
【００３９】
次に、乗りかご３０を適当に吊り上げて固定するためのチェーンブロック７６，７８の上方端を昇降路１４の天井壁において乗りかご３０の上方に対応する箇所に固定し、下方端を乗りかご３０のかご上手摺３２に固定する。そして、チェーンブロック７６，７８を適当に操作し、乗りかご３０を適当な高さに吊り上げて固定する。吊り上げ量の一例を挙げると、約５０ｍｍ程度である。
【００４０】
そして、旧ロープ４２の一方端４８側について、綱止板５０に取り付けられる一方端取付ソケット５１の下方側の適当な位置で、旧ロープ４２の３本のそれぞれを区別して旧ロープクリート１００で保持する。そして、旧ロープ４２を一方端４８で切断しても旧ロープ４２が落下しないように、旧ロープクリート１００を、適当なミニチェーンブロック等（図示せず）で昇降路１４の天井壁に対して固定する。旧ロープクリート１００は、旧ロープ４２の一方端４８における一方端取付ソケット５１から測って、後述する新旧ロープの接続に必要な長さとなる位置を保持する。例えば、旧ロープ４２の一方端取付ソケット５１から約１ｍ程度離れた位置で、旧ロープクリート１００は旧ロープ４２を保持する。
【００４１】
そして、保守作業員８は、かご上作業領域３３において、綱止板５０に取り付けられる一方端取付ソケット５１の下方側で旧ロープ４２を切断する。図３において、旧ロープ４２の一方端４８側の切断位置をＸマークで示す。切断された旧ロープ４２の一方端４８の先端部１０２は、おもり側追加滑車８２に懸架されて乗りかご３０側に出される。乗りかご３０のかご上作業領域３３にある新ロープ４４の一方端４６は、おもり側追加滑車８２側に引き出され、旧ロープ４２の一方端４６の先端部１０２と所定の接続方法で接続される。
【００４２】
図３は、かご上作業領域３３の保守作業員８が、おもり側追加滑車８２の乗りかご３０側において、旧ロープ４２の一方端４８の先端部１０２と、新ロープ４４の一方端４６とを接続する様子を示す図である。接続作業は、旧ロープ４２の一方端４８について旧ロープクリート１００でそれぞれ区別されている３本と、新ロープ４４の一方端４６について新ロープクリート８６でそれぞれ区別されている３本を、予め定めた接続手順で結合することで行われる。新旧ロープの接続後、新ロープクリート８６は新ロープ４４から外される。
【００４３】
旧ロープ４２と新ロープ４４とが接続されると、次に、旧ロープ４２の回収が行われる（旧ロープ回収工程）。図４は、旧ロープ回収作業の状態の内で、特に、旧ロープ４２を引っ張り出すために、旧ロープ４２の他方端４９側を切断し、切断された先端部１０６と案内綱９０とを接続する作業を示す図である。図３の状態から図４の状態へは、以下の手順によって進められる。
【００４４】
旧ロープ４２を回収するために、まず、旧ロープ吊下クリップ１０４をかご上手摺３２に固定して取り付ける。そして、旧ロープ４２の他方端４９側について、綱止板５２に取り付けられる他方端取付ソケット５３の下方側の適当な位置を、旧ロープ吊下クリップ１０４で保持する。これによって、旧ロープ４２を他方端４９側で切断しても旧ロープ４２が落下しなくなる。旧ロープ吊下クリップ１０４は、旧ロープ４２の他方端取付ソケット５３から測って、ロープ送り支援治具１１０に固定するために必要な長さとなる位置を保持する。例えば、旧ロープ４２の他方端取付ソケット５３から約１ｍ程度離れた位置で、旧ロープ吊下クリップ１０４は旧ロープ４２を保持する。
【００４５】
次に、昇降路１４の天井壁において、綱止板５２に対応する位置から下方側にかご側追加滑車８４を吊り下げる。そして、綱止板５２に取り付けられる他方端取付ソケット５３の下方側で旧ロープ４２の他方端４９が切断される。図４で、旧ロープ４２の他方端４９側の切断位置をＸマークで示す。切断された旧ロープ４２の他方端４９の先端部１０６は、かご側追加滑車８４に懸架されて、かご上作業領域３３側に出される。旧ロープ４２の先端部１０６は、ロープ送り支援治具１１０を介して、かご上作業領域３３に置かれている案内綱９０の他方端９２と接続される。
【００４６】
図５は、図４のＶ部の拡大図で、ロープ送り支援治具１１０の構成と、ロープ送り支援治具１１０を介して、旧ロープ４２の他方端４９の先端部１０６と、案内綱９０の他方端９２との接続関係を示す図である。ロープ送り支援治具１１０は、治具本体板部１１２、固定具１１４、及び取付部１１６を含む。
【００４７】
治具本体板部１１２は、矩形形状の板部材で、端部に張出部１１３を備える。張出部１１３は、矩形形状部分と一体として成形してもよく、図５の例のように、矩形形状部分と別体で張出部１１３を成形し、その後に矩形形状部分と溶接やねじ止等の固定手段で一体化してもよい。
【００４８】
固定具１１４は、旧ロープ４２の先端部１０６を治具本体板部１１２に着脱自在に固定する固定手段である。ここで、旧ロープ４２は３本で構成されているので、３本のそれぞれを旧ロープ４２ａ，４２ｂ，４２ｃとすると、旧ロープ４２ａ，４２ｂ，４２ｃの先端部１０６も３つある。３つある先端部１０６を、先端部１０６ａ，１０６ｂ，１０６ｃとすると、固定具１１４は、３つの先端部１０６ａ，１０６ｂ，１０６ｃを１つずつ、治具本体板部１１２に着脱自在に固定する３つのロープクリップ１１４ａ，１１４ｂ，１１４ｃである。ロープクリップ１１４ａ，１１４ｂ，１１４ｃとしては、ボルト押えクリップを用いることができる。この場合、治具本体板部１１２に複数のめねじ穴を設け、ボルト通し穴を有する押さえ板で先端部１０６を押さえ、ボルト通し穴にボルトを通して、治具本体板部１１２のめねじと締結する。
【００４９】
このように、旧ロープ４２が複数本で構成される場合でも、１本ずつ治具本体板部１１２に複数の固定具１１４で固定できるので、作業者の個人差をなくして、旧ロープ４２の切断された先端部１０６を、治具本体板部１１２に容易且つ確実に接続できる。
【００５０】
取付部１１６は、案内綱９０を治具本体板部１１２に着脱自在に取り付ける部材である。取付部１１６としては、治具本体板部１１２の張出部１１３に設けられている取付穴１１５に環状形状が通されたカラビナを用いることが出来る。カラビナは、登山道具等として用いられることもある部材で、開閉できるゲート部１１７がついた金属リングである。例えば、ゲート部１１７を開放した状態で、環状部分を張出部１１３の取付穴１１５に通し、さらに案内綱９０の他方端９２も環状部分に通した後にゲート部１１７を閉じることで、治具本体板部１１２と案内綱９０とを素早く確実に、着脱自在に繋ぐことができる。カラビナの材質としては、ジュラルミンが用いられる。
【００５１】
このように、旧ロープ４２の先端部１０６が固定された治具本体板部１１２について着脱自在な取付部１１６を用いることで、例えば、旧ロープ４２の回収が済めば、旧ロープ４２と案内綱９０を容易に分離でき、案内綱９０の再利用が可能である。また、ロープ送り支援治具１１０は、治具本体板部１１２と、治具本体板部１１２に着脱自在な固定具１１４及び取付部１１６で構成されるので、旧ロープ４２を案内綱９０に接続する際に、作業者の個人差をなくして容易且つ確実に接続できる。
【００５２】
図４に戻り、ロープ送り支援治具１１０を介して旧ロープ４２の先端部１０６に他方端９２が接続された案内綱９０の一方端９１は、かご上手摺３２に設けられた案内シャックル１０８を通してかご上手摺３２の外に出されて、ピット２０に垂らされる。保守作業員６は、ピット２０に垂らされた案内綱９０の一方端９１を持ち、最下階乗場１６において、案内綱９０を乗場側に引っ張る（新ロープ送り出し工程）。案内綱９０の引っ張りによって、旧ロープ４２の先端部１０６が接続されたロープ送り支援治具１１０は、案内シャックル１０８を経て、最下階乗場１６側にたぐり寄せられる。ロープ送り支援治具１１０が最下階乗場１６までたぐり寄せられたら、ロープ送り支援治具１１０の取付部１１６であるカラビナのゲート部１１７を開放して案内綱９０の他方端９２を取り外す。以後は、旧ロープ４２の他方端４９側を引っ張る。
【００５３】
これを進めることで、旧ロープ４２は、最下階乗場１６側に順次たぐり寄せられる。これによって、旧ロープ４２の一方端４６の先端部１０２は、おもり側追加滑車８２、おもり吊り車６２、返し車５８、駆動シーブ３５、返し車６０、かご吊り車６６，６４、かご側追加滑車８４を経て、かご上作業領域３３を経由して、最下階乗場１６に順次送られる。最下階乗場１６に送られてきた旧ロープ４２は、順次適当な長さに切断して、ロープ回収容器７２に収容され、回収される。
【００５４】
旧ロープ４２の一方端４８の先端部１０２に接続された新ロープ４４の一方端４６も、同じ経路で、かご上作業領域３３に向かって順次引っ張り込まれる。つまり、案内綱９０を最下階乗場１６に向かって引っ張ると、新ロープ４４は、ロープ送り出し治具７０から引き出され、新ロープ送り出しガイド車７４を経由して、同じ経路で、かご上作業領域３３に向かって順次送り込まれる。
【００５５】
これを進めてゆき、旧ロープ４２の一方端４８の先端部１０２がかご側追加滑車８４まで送られると、おもり側追加滑車８２からかご側追加滑車８４までの経路が全て新ロープ４４に置き換わったことになる。そして、綱止板５０に設けられた一方端取付ソケット５１、及び、綱止板５２に設けられた他方端取付ソケット５３のそれぞれの間に張り渡されるのに十分な長さまで、さらに新ロープ４４を引っ張る。その後、予め定めた固定方法に従って、張り渡された新ロープ４４の釣合おもり３６側の端部を一方端として綱止板５０に設けられた一方端取付ソケット５１に固定する。また、乗りかご３０側の端部を他方端として綱止板５２に設けられた他方端取付ソケット５３に取り付ける（新ロープの一方端及び他方端の取付工程）。これで、主ロープ４１は新ロープ４４に交換されたことになる。
【００５６】
最後に、ロープ送り出し治具７０、ロープ回収容器７２、新ロープ送り出しガイド車７４、チェーンブロック７６，７８、パイプサポート８０、おもり側追加滑車８２、かご側追加滑車８４等を撤去する（交換作業用治具等の撤去工程）。
【００５７】
上記のエレベーターロープ交換作業用のロープ送り支援治具１１０を用いることで、治具本体板部１１２に固定具１１４で旧ロープ４２の先端部１０６を固定し、治具本体板部１１２に取り付けた取付部１１６に案内綱９０を取り付けることができる。これにより、旧ロープ４２を案内綱９０に接続する際に、作業者の個人差をなくして容易且つ確実に接続できる。また、旧ロープ４２が複数本で構成される場合でも１本ずつ治具本体板部１１２にロープクリップ等の固定具１１４で固定できるので、作業者の個人差をなくして容易且つ確実に接続できる。さらに、旧ロープ４２の回収が済めば、旧ロープ４２と案内綱９０を容易に分離でき、案内綱９０の再利用が可能となる。
【符号の説明】
【００５８】
６，８  保守作業員、１０  エレベーター、１２  建物、１４  昇降路、１６  最下階乗場、１８  最上階乗場、２０  ピット、２２  おもり側ダンパ、２４  かご側ダンパ、２６，２８  ガイドレール、３２  かご上手摺、３３  かご上作業領域、３４  巻上機、３５  駆動シーブ、４０  エレベーターロープ、４１  主ロープ、４２，４２ａ，４２ｂ，４２ｃ  旧ロープ、４４  新ロープ、４６  （新ロープの）一方端、４８  （旧ロープの）一方端、４９  （旧ロープの）他方端、５０，５２  綱止板、５１  一方端取付ソケット、５３  他方端取付ソケット、５８，６０  返し車、６２  おもり吊り車、６４，６６  かご吊り車、７０  ロープ送り出し治具、７１  中心軸、７２  ロープ回収容器、７４  新ロープ送り出しガイド車、７６，７８  チェーンブロック、８０  パイプサポート、８２  おもり側追加滑車、８４  かご側追加滑車、８６  新ロープクリート、９０  案内綱、９１  （案内綱の）一方端、９２  （案内綱の）他方端、１００  旧ロープクリート、１０２  （旧ロープの切断された一方端の）先端部、１０４  旧ロープ吊下クリップ、１０６，１０６ａ，１０６ｂ，１０６ｃ  （旧ロープの切断された他方端の）先端部、１０８  案内シャックル、１１０  （エレベーターロープ交換作業用の）ロープ送り支援治具、１１２  治具本体板部、１１３  張出部、１１４  固定具、１１４ａ，１１４ｂ，１１４ｃ  ロープクリップ（固定具）、１１５  取付穴、１１６  取付部、１１７  ゲート部。
【要約】
エレベーターロープ交換作業用のロープ送り支援治具（１１０）は、エレベーターの主ロープを旧ロープ（４２）から新ロープに交換する保守作業において、旧ロープ（４２）を回収するためのロープ送り支援治具（１１０）である。ロープ送り支援治具（１１０）は、治具本体板部（１１２）と、回収用の旧ロープ（４２）の先端部（１０６）を治具本体板部（１１２）に着脱自在に固定する固定具（１１４）と、ロープ送りのための案内綱（９０）を治具本体板部（１１２）に着脱自在に取り付ける取付部（１１６）と、を備える。【図１】
0006847319.tif 000002
【図２】
0006847319.tif 000003
【図３】
0006847319.tif 000004
【図４】
0006847319.tif 000005
【図５】
0006847319.tif 000006